(57)【要約】      （修正有）【課題】５本指靴下について、その靴下の内部に挿入しなくても一度に５本の指袋の裏返りを容易に直すことができる指返し具を提供する。【解決手段】５本指靴下の指返し具は、本体１０と、本体の先端に設けられ、足の親指、人差し指、中指、薬指及び小指に対応する５本の突出部と、を備え、５本の突出部が、その先端において、５本指靴下の指袋の先端を引き出す引出し部３０（ワニグチ部４０及び／又は接着部５０）をそれぞれ有している。【選択図】図２
0003202948.tif 000002
【実用新案登録請求の範囲】
【請求項１】
５本指靴下の指返し具であって、
本体と、
前記本体の先端に設けられ、足の親指、人差し指、中指、薬指及び小指に対応する５本の突出部と、を備え、
前記５本の突出部が、その先端において、５本指靴下の指袋の先端を引き出す引出し部をそれぞれ有していることを特徴とする指返し具。
【請求項２】
前記引出し部がワニグチ部及び／又は接着部であることを特徴とする請求項１に記載の指返し具。
【請求項３】
前記引出し部が、足の親指、人差し指及び中指に対応する第１突出部、第２突出部及び第３突出部においてはワニグチ部であり、足の薬指及び小指に対応する第４突出部及び第５突出部においては接着部であることを特徴とする請求項１に記載の指返し具。
【請求項４】
前記本体を起立させる台座をさらに備えることを特徴とする請求項１から３のいずれか１項に記載の指返し具。
【考案の詳細な説明】
【技術分野】
【０００１】
本考案は、５本指靴下の指返し具に関する。
【背景技術】
【０００２】
靴下の一種類として、５本の足指を各別に入れる指袋が形成された靴下（以下、５本指靴下という。）が流通している。この５本指靴下は、各足指が指袋部分によって包まれているので、湿気が抜けやすいという利点による水虫予防や、各足指が重なり難くなることから外反母趾防止などの長所を有している。しかし、５本指靴下は、脱いだときや、洗濯したとき、指袋の先端が裏返ってしまい、これを元通りにするには手間を要するものであった。そこで、裏返った指袋を元通りに戻すものとして、５本指靴下の本体内へ挿入して指袋を押し出すように構成した器具が開示されている（例えば、特許文献１参照）。
【０００３】
特許文献１は、靴下に違和感を生じさせず、洗濯時の支障も与えず、洗濯後等の靴下の各指袋部の裏返りを直すのに便利な５本指靴下の指返し具を提供することを課題として、靴下の履き口部から靴下の先端の指袋部に向けて挿入して該指袋部の裏返りを直すための先端が球形をした複数本の頭部を備え、各頭部が所定間隔で支持軸部を介して柄部に並列状に取り付けられた器具を開示している。頭部は、３本に設定されており、各頭部は、柄部に対する突出長さが個々に独立して調節可能とされている。
【０００４】
しかしながら、この発明では、器具を５本指靴下の内部に挿入する必要があり、特に急いでいるような場合、挿入する手間や時間を要するという問題があった。また、５本の指袋に対して裏返りを直すための頭部が３本に設定されており、一度に５本の指袋を元通りにすることができないという問題があった。
【先行技術文献】
【特許文献】
【０００５】
【特許文献１】特開２０１０−１７８６４０号公報
【考案の概要】
【考案が解決しようとする課題】
【０００６】
そこで、本考案は、以上のような事情に鑑みてなされたものであり、その目的は、５本指靴下について、その靴下の内部に挿入しなくても一度に５本の指袋の裏返りを容易に直すことができる指返し具を提供することにある。
【課題を解決するための手段】
【０００７】
上記課題を解決するため、本考案の筐体は、以下のような解決手段を提供する。
【０００８】
（１）本考案に係る第１の観点は、５本指靴下の指返し具であって、本体と、前記本体の先端に設けられ、足の親指、人差し指、中指、薬指及び小指に対応する５本の突出部と、を備え、前記５本の突出部が、その先端において、５本指靴下の指袋の先端を引き出す引出し部をそれぞれ有していることを特徴とする。
【０００９】
（２）上記（１）の構成において、前記引出し部は、ワニグチ部及び／又は接着部であってもよい。
【００１０】
（３）上記（１）の構成において、前記引出し部は、足の親指、人差し指及び中指に対応する第１突出部、第２突出部及び第３突出部においてはワニグチ部であり、足の薬指及び小指に対応する第４突出部及び第５突出部においては接着部であってもよい。
【００１１】
（４）上記（１）から（３）のいずれか１つの構成において、前記本体を起立させる台座をさらに備えてもよい。
【考案の効果】
【００１２】
本考案によれば、５本指靴下について、その靴下の内部に挿入しなくても一度に５本の指袋の裏返りを容易に直すことができる指返し具を提供することができる。
【図面の簡単な説明】
【００１３】
【図１】本考案の実施形態に係る指返し具を示す図である。
【図２】図１の突出部の先端を拡大して示す図である。
【図３】図２のワニグチ部（引出し部）について説明する図である。
【図４】同じく、図２のワニグチ部（引出し部）について説明する図である。
【図５】図１の台座を拡大して示す図である。
【図６】足から５本指靴下を脱ごうとしている状態を示す図である。
【図７】５本指靴下が足指から離れる直前の状態を示す図である。
【図８】５本指靴下が足指から完全に離れ、靴下の指袋が裏返っている状態を示す図である。
【図９】指返し具に５本指靴下を外側から被せようとしている状態を示す図である。
【図１０】指返し具に被せられた５本指靴下の指袋の先端を指返し具の引出し部に押し当てている状態を示す図である。
【図１１】指返し具から５本指靴下を離脱させつつある状態を示す図である。
【図１２】指返し具から５本指靴下が離脱し、指袋の裏返りが直された状態を示す図である。
【考案を実施するための形態】
【００１４】
以下、添付図面を参照して、本考案を実施するための形態（以下、実施形態という）について詳細に説明する。なお、実施形態の説明の全体を通して同じ要素には同じ番号を付している。
【００１５】
（実施形態の構成）
本実施形態に係る５本指靴下Ｓの指返し具１は、図１に示すように、本体１０と、本体１０の先端１０ａに設けられた５本の突出部２０とを備えている。５本の突出部２０は、足の親指、人差し指、中指、薬指及び小指にそれぞれ対応して、第１突出部２１、第２突出部２２、第３突出部２３、第４突出部２４及び第５突出部２５から構成されている。本体１０は、台座６０に取り付けられて起立している。
【００１６】
本体１０は、ここでは概ねヒトの足の造形をしている例を示しているが、もちろんリアルにヒトの足を再現する必要はない。本実施形態に係る指返し具１は、５本指靴下Ｓの内部にその全体を挿入するものではないためである。
【００１７】
５本の突出部２０、すなわち第１突出部２１、第２突出部２２、第３突出部２３、第４突出部２４及び第５突出部２５は、５本指靴下Ｓの指袋ＴＢの裏返りＴＯに挿入されるため、一定程度、ヒトの足指の形に倣って造形されている。これによって、裏返りＴＯの内部に挿入するのが容易となる。また、親指側と小指側の区別を一見しただけで判別でき、５本指靴下Ｓに指返し具１を適正かつ直ちに対応させることができる。
【００１８】
５本の突出部２０の先端には、裏返りＴＯを掴んで外に引き出すための引出し部３０がそれぞれ設けられている。すなわち、第１突出部２１、第２突出部２２、第３突出部２３、第４突出部２４及び第５突出部２５のそれぞれの先端２１ａ，２２ａ，２３ａ，２４ａ，２５ａに、５本指靴下Ｓの指袋ＴＢの裏返りＴＯを引き出すために、引出し部３１，３２，３３，３４，３５がそれぞれ設けられている。これらの引出し部３１，３２，３３，３４，３５は、第１突出部２１、第２突出部２２、第３突出部２３、第４突出部２４及び第５突出部２５を各指袋ＴＢの裏返りＴＯに挿入したとき、裏返りＴＯの先端を捕まえることができるように構成されている。
【００１９】
引出し部３１，３２，３３，３４，３５は、種々の態様に形成してよいが、図２では、ワニグチ部４０と接着部５０とした場合を示している。ここでいうワニグチ部４０とは、可撓性の対象物（例えば、布地や紙類など）を被取付部材に取り付ける際に、対象物を押し込むために開けられている差込み口の一態様である。
【００２０】
具体的には、ワニグチ部４０は、次のように構成する。図３及び図４に示すように、被取付部材に設けられている略円形又は略楕円形の円周から例えば６枚の三角形状の切片を中心に向かって延在させる。各切片同士には隙間を設けてあり、中心には小さな孔が形成されるようにする。そして、対象物をその小さな孔に差込むと、差し込まれた対象物は各切片によって引っ掛かり、所定以上の力が掛からない限り、対象物は被取付部材に保持されることとなる。
【００２１】
本実施形態では、引出し部３０をワニグチ部４０とする場合、５本指靴下Ｓの指袋ＴＢの裏返りＴＯを対象物として、被取付部材である、第１突出部２１、第２突出部２２、第３突出部２３、第４突出部２４及び第５突出部２５のそれぞれの先端２１ａ，２２ａ，２３ａ，２４ａ，２５ａに設けるものである。引出し部３０をワニグチ部４０とする場合における裏返りＴＯを直す動作については、後述する。
【００２２】
一方、接着部５０とは、例えば接着シートを貼着したり、接着部材を塗布したりすることによって構成されている。引出し部３０を接着部５０とする場合、５本指靴下Ｓの指袋ＴＢの裏返りＴＯを対象物として、第１突出部２１、第２突出部２２、第３突出部２３、第４突出部２４及び第５突出部２５のそれぞれの先端２１ａ，２２ａ，２３ａ，２４ａ，２５ａに接着シート又は接着部材を設けるものである。引出し部３０を接着部５０とする場合における裏返りＴＯを直す動作については、後述する。
【００２３】
なお、接着シート又は接着部材は、継続的使用の結果、経持変化により粘着力が減衰してくるが、補充のための接着シート又は接着部材を指返し具１に付属させることにより、利用者による対応が可能である。
【００２４】
引出し部３０をワニグチ部４０及び接着部５０のいずれとするかは、５本指靴下Ｓの種類（大きさ、厚さ、生地、編み方など）に応じて、いろいろな組合せをもって、第１突出部２１、第２突出部２２、第３突出部２３、第４突出部２４及び第５突出部２５のそれぞれの先端２１ａ，２２ａ，２３ａ，２４ａ，２５ａに施すことができる。例えば、５本の先端２１ａ，２２ａ，２３ａ，２４ａ，２５ａのすべてに、ワニグチ部４０を施してもよいし、接着部５０を施してもよい。また、５本の先端２１ａ，２２ａ，２３ａ，２４ａ，２５ａごとにワニグチ部４０と接着部５０を選択的に組み合わせてもよい。
【００２５】
本考案者らは、鋭意、大人用の５本指靴下Ｓを使用して研究を重ねた結果、親指、人差し指及び中指に対応する第１突出部２１、第２突出部２２及び第３突出部２３の各先端２１ａ，２２ａ，２３ａにはワニグチ部４０を施し、薬指及び小指に対応する第４突出部２４及び第５突出部２５の各先端２４ａ，２５ａには接着部５０を施すと、より一層好ましい結果が得られることを見出した。これは、相対的に大きくかつ長い親指、人差し指及び中指の指袋ＴＢにはワニグチ部４０が、相対的に小さくかつ短い薬指及び小指には接着部５０が適応していることを示している。この場合の指返し具１の動作すなわち使用の態様については、後述する。
【００２６】
ところで、本実施形態に係る指返し具１は、使用する際に、一方の手で指返し具１を持ち、他方の手で引出し部３０を裏返りＴＯに押し込むことができるのはもちろんであるが、床や台の上に指返し具１を起立させておき、利用者が両手でもって５本指靴下Ｓの裏返りＴＯを指返し具１に被せるようにして使用すると、利用者にとって便宜である。
【００２７】
このような場合に備えて、図５に示すように、本体１０を支持する台座６０をさらに設けておき、本体１０を台座６０に固定するように構成すると好適である。固定するにあたっては、本体１０を台座６０の中央に設けた取付部６１にネジで取り付けてもよいし、台座６０の上端と本体１０の下端をオスメスのねじ切りを形成しておき両者を螺合して固定してもよいし、台座６０の上端と本体１０の下端をオスメスに嵌合して固定してもよい。
【００２８】
（実施形態の動作）
以下では、親指、人差し指及び中指に対応する第１突出部２１、第２突出部２２及び第３突出部２３の各先端２１ａ，２２ａ，２３ａにワニグチ部４０を施し、薬指及び小指に対応する第４突出部２４及び第５突出部２５の各先端２４ａ，２５ａに接着部５０を施す場合について、図６から図１２を参照して、指返し具１の動作すなわち使用の態様を説明する。
【００２９】
まず、図６に示すように、利用者は、足Ｆに履いている５本指靴下Ｓを足Ｆから５本指靴下Ｓを脱ごうとする。この際、５本の指袋ＴＢの先端をそれぞれ手で摘んで脱げば指袋の裏返りは生じないが、そうはしないで、５本指靴下Ｓの全体が裏返ってしまうように脱ごうとしている。そうすると、図７に示すように、５本指靴下Ｓの指袋ＴＢが足指から離れていくが、指袋ＴＢは途中まで靴下の全体とともに裏返っていく。そして、図８に示すように、それから先端は裏返らないままに足指から抜けてしまう。
【００３０】
この状態の５本指靴下Ｓの外側から指返し具１を接近させ、図９に示すように、指返し具１に５本指靴下Ｓを外側から被せる。このとき、指返し具１と５本指靴下Ｓの親指側及び小指側がそれぞれ対応するように被せていく。そして、図１０に示すように、５本の指袋ＴＢが対応する５本の突出部２０に被さった後、利用者が手で、指袋ＴＢを突出部２０の先端に設けられている引出し部３０に強く押し当てる。このとき、引出し部３０としてワニグチ部４０が設けられている突出部２０では、指袋ＴＢはワニグチ部４０の中心の孔に食い込まれる。引出し部３０として接着部５０が設けられている突出部２０では、指袋ＴＢは接着部５０に接着される。
【００３１】
このようにして、５本指靴下Ｓの指袋ＴＢを引出し部３０に掴ませた後、図１１に示すように、指返し具１から５本指靴下Ｓを離脱させていく。そうすると、図１２に示すように、指返し具１から５本指靴下Ｓが離脱したときには、指袋ＴＢの裏返りＴＯが直された状態となる。
【００３２】
（実施形態の効果）
以上説明した本実施形態によれば、指返し具１は、５本指靴下Ｓについて、その靴下の内部に挿入しなくても一度に５本の指袋ＴＢの裏返りＴＯを容易に直すことができる。
【００３３】
以上、実施形態について説明したが、本考案は、具体的な実施形態に限定されるものではなく、種々の変更を行ったものも含まれるものであり、そのことは、当業者にとって実用新案登録請求の範囲の記載から明らかである。例えば、上記の実施形態では、指返し具１を左右両足に汎用できる態様として説明したが、左右両足の各別に専用のものとしてもよい。その場合は、実際の足の形状にさらに類似するように、足甲側と足裏側に分けて造形すすることができる。また、その場合、足裏側で左右両足のものを当接させて、全体として左右両足に汎用できるようにしてもよい。
【符号の説明】
【００３４】
１…指返し具
１０…本体
２０…突出部
２１…第１突出部
２２…第２突出部
２３…第３突出部
２４…第４突出部
２５…第５突出部
３０…引出し部
４０…ワニグチ部（引出し部の一態様）
５０…接着部（引出し部の一態様）
６０…台座
Ｓ…５本指靴下
ＴＢ…指袋
ＴＯ…引出し部
【図１】
0003202948.tif 000003
【図２】
0003202948.tif 000004
【図３】
0003202948.tif 000005
【図４】
0003202948.tif 000006
【図５】
0003202948.tif 000007
【図６】
0003202948.tif 000008
【図７】
0003202948.tif 000009
【図８】
0003202948.tif 000010
【図９】
0003202948.tif 000011
【図１０】
0003202948.tif 000012
【図１１】
0003202948.tif 000013
【図１２】
0003202948.tif 000014